(57)【要約】【課題】コンテナやトラック荷台の上面開口部に防水性シートを張設するコンテナ等の開閉屋根において、防水性シートを自動的に折り畳みおよび広げることにより、屋根の自動開閉が可能であるとともに、折り畳みの際にシートを下方に垂れ下げることなく、効率的に畳み込むことができる。【解決手段】防水性シート２はコンテナ１等の幅方向に架け渡され、かつコンテナ１等の前後方向に移動可能としたコ字形の支持フレーム７で適宜間隔で支持して幌タイプとし、支持フレーム７はその支柱部７ａ相互をリンクアーム９ａ、９ｂ同士の結合によるリンク機構９で連結して折り畳み構造とし、前記リンクアームの軸着部１０またはそれからのアーム延設部１１を支持フレーム７よりも上方に突設可能とし、コンテナ１等の幅方向でこの突設させた上端間に連結部材１２を渡した。【選択図】        図１
2004269005.tif 000002
【特許請求の範囲】
【請求項１】
コンテナやトラック荷台の上面開口部にシートを張設するコンテナ等の開閉屋根において、前記シートはコンテナ等の幅方向に架け渡され、かつコンテナ等の前後方向に移動可能としたコ字形の支持フレームで適宜間隔で支持して幌タイプとし、前記支持フレームはその支柱部相互をリンクアーム同士の結合によるリンク機構で連結して折り畳み構造とし、前記リンクアームの軸着部またはそれからのアーム延設部を該リンク機構の折り畳みに応じて支持フレームよりも上方に突設可能とし、コンテナの幅方向でこの突設させた上端間に連結部材を渡したことを特徴とするコンテナ等の開閉屋根。
【請求項２】
前記アーム延設部は折り畳みのために前記支持フレームが移動する方向と逆の方向に向けて突設する請求項１記載のコンテナ等の開閉屋根。
【請求項３】
前記連結部材は回転体とする請求項１または請求項２記載のコンテナ等の開閉屋根。
【請求項４】
端部に配置される前記支持フレームの移動は、駆動ローラおよびガイドローラで張設した無端ワイヤーの牽引で行う請求項１ないし請求項３のいずれかに記載のコンテナ等の開閉屋根。
【請求項５】
前記支持フレームの支柱部に、コンテナのサイドトップレールへ当接するスベリ部材を配設する請求項１ないし請求項４のいずれかに記載のコンテナ等の開閉屋根。
【発明の詳細な説明】
【０００１】
【発明の属する技術分野】
本発明は、屋根として上面開口部に防水性シートを張設するコンテナやトラック荷台の開閉屋根に関するものである。
【０００２】
【従来の技術】
近年、輸送費や包装費の低減、輸送期間の短縮、荷痛みの防止等の点からコンテナ輸送が増加している。しかし、コンテナは箱型で、ほとんどのコンテナは、出入口が後端１ケ所であるため、クレーン等が使用できない。
【０００３】
そこで、コンテナ箱体の上面を開口面として、防水性シートで閉塞するシート屋根タイプのコンテナも存在し、防水性シートを外して荷役を上面開口からすることで、クレーン等揚重装置により効率的に行うことができる。
【０００４】
図１０はその一例を示すもので、図中１はコンテナであり、防水性シート２はこのコンテナ１の上面を開口面に覆い被し、サイドトップレール１ａの上にまで端部を伸ばす。図中１ｂはサイドボトムレール、１ｃはコーナーポスト、１ｄはサイドウォールである。
【０００５】
そして、この防水性シート２の固定は、大きめの鳩目穴３を設けておき、ここにサイドトップレール１ａ側からの孔開き突片４を貫通突出させ、これにロープ５を渡して外側から防水性シート２の端部を押さえる。  防水性シート２を外すには、ロープ５を外して係止を解除して行う。
【０００６】
なお、シート屋根タイプのコンテナに関する特許文献は存在しない。
【０００７】
また、下記特許文献１の従来例等にも示されているように、トラック等の荷物運搬車両には、荷台囲壁の両側に回転自在なクロスバーを用いた通称アコーデオン式と言われる枠組みを移動可能に立設し、これにシートを被せて結合し、開閉自在な荷台カバー装置を備えたものがある。
【０００８】
【特許文献１】
特開平１１−１５１９３９号公報
【０００９】
【発明が解決しようとする課題】
図１０に示す防水性シート２をロープ５で固定する方式では、防水性シート２の着脱が手作業となり、手間と時間がかかるので、自動的な開閉機構が望まれる。
【００１０】
また、特許文献１のような回転自在なクロスバーを用いた通称アコーデオン式と言われる枠組みを移動可能に立設し、これにシートを被せて結合し、開閉自在な荷台カバー装置を設ける場合に、折り畳みの際に枠の相互間に畳まれるシートが入り込み、これが垂れ下がると内部の積荷に触れたり、他にからまったりするおそれがあり、ひいては開閉動作の支障やシートの破損にもなりかねない。
【００１１】
本発明の目的は前記従来例の不都合を解消し、コンテナやトラック荷台の上面開口部に防水性シートを張設するコンテナ等の開閉屋根において、防水性シートを自動的に折り畳みおよび広げることにより、屋根の自動開閉が可能であるとともに、折り畳みの際にシートを下方に垂れ下げることなく、効率的に畳み込むことができるコンテナ等の開閉屋根を提供することにある。
【００１２】
【課題を解決するための手段】
本発明は前記目的を達成するため、第１に、コンテナやトラック荷台の上面開口部にシートを張設するコンテナ等の開閉屋根において、シートはコンテナ等の幅方向に架け渡され、かつコンテナ等の前後方向に移動可能としたコ字形の支持フレームで適宜間隔で支持して幌タイプとし、支持フレームはその支柱部相互をリンクアーム同士の結合によるリンク機構で連結して折り畳み構造とし、前記リンクアームの軸着部またはそれからのアーム延設部を該リンク機構の折り畳みに応じて支持フレームよりも上方に突設可能とし、コンテナの幅方向でこの突設させた上端間に連結部材を渡したことを要旨とするものである。
【００１３】
第２に、アーム延設部は折り畳みのために支持フレームが移動する方向と逆の方向に向けて突設すること、第３に、連結部材は回転体とすること、第４に、端部支持フレームの移動は、駆動ローラおよびガイドローラで張設した無端ワイヤーの牽引で行うこと、第５に、支持フレームの支柱部に、コンテナのサイドトップレールへ当接するスベリ部材を配設することを要旨とするものである。
【００１４】
請求項１記載の本発明によれば、防水性シートは幌タイプのものとしてコンテナ等の幅方向に架け渡されるコ字形の支持フレームで適宜間隔で支持され、この支持フレームがコンテナ等の前後方向に移動することで、畳まれ、または広げられる。そして、リンク機構のリンクアームの軸着部またはそれからのアーム延設部が該リンク機構の折り畳みに応じて支持フレームよりも上方に突設することでこの部分でシートを持ち上げ、シートを下方に垂らすことなく、折り畳むことができる。
【００１５】
なお、リンク機構のリンクアームの軸着部が支持フレームよりも上方に突設するには、余裕代として支持フレームの支柱部は比較的高いものとして開閉機構全体が高さのあるものとなるが、リンク機構のリンクアームの軸着部からのアーム延設部が支持フレームよりも上方に突設可能にすることで、支持フレームの支柱部は高くせずにすみ、全体の高さもひくく嵩ばらないものとすることができる。
【００１６】
請求項２記載の本発明によれば、前記作用に加えて、アーム延設部は折り畳みのために支持フレームが移動する方向と逆の方向に向けて突設することで、該、アーム延設部はリンクアームの軸着部を支点に折り畳みのために支持フレームが移動する方向に弧を描いて回転する。その結果、連結部材がシートを折り畳みのために支持フレームが移動する方向に押し上げ、かつ、折り畳み部を重ねあわせるので、無理なく折り畳むことができる。
【００１７】
請求項３記載の本発明によれば、連結部材は回転体とすることで、前記のごとく、シートを折り畳みのために押し上げるのに、摩擦抵抗を生じせしめることなく、スムーズに行うことができる。
【００１８】
請求項４記載の本発明によれば、端部支持フレームの移動は、駆動ローラおよびガイドローラで張設した無端ワイヤーの牽引で行うことで、シートの開閉操作を駆動ローラの正逆回転で簡単に行うことができる。また、駆動ローラの回転をモータ駆動とすれば、自動開閉運転が可能となる。
【００１９】
請求項５記載の本発明によれば、コンテナのサイドトップレールを支持フレームの移動用のガイドレールとして使用することで、別途ガイドレールを設けないですみ、支持フレームの支柱部にコンテナのサイドトップレールへ当接するスベリ部材を配設することで、コンテナのサイドトップレールが巾広いものでもスムーズな移動を行うことができる。
【００２０】
【発明の実施の形態】
以下、図面について本発明の実施の形態を詳細に説明する。図１は本発明のコンテナ等の開閉屋根の１実施形態を示す一部省略した縦断側面図、図２は同上平面図で、図２においては後述の防水シート２は図示を省略している。
【００２１】
本発明はコンテナ１にその開閉屋根として防水シート２を設ける場合であり、詳細を示す図３〜図５中１ａはコンテナ１のサイドトップレールであり、防水性シート２はこのコンテナ１の上面を開口面６に覆い被し、サイドトップレール１ａの上に重なるまで端部を伸ばす。
【００２２】
コンテナ１の幅方向に、左右垂直部である支柱部７ａと水平部（湾曲も可）である梁部７ｂとからなるコ字形の支持フレーム７を架け渡すが、この支持フレーム７は支柱部７ａの内側にコンテナ１のサイドトップレール１ａに当接するナイロン樹脂製の当て板によるすべり部材８を配設してサイドトップレール１ａをガイドレールとしてコンテナ１の前後方向に移動可能とした。
【００２３】
図１、図２に示すように、支持フレーム７はコンテナ１の前後方向に適宜間隔で並べ、梁部７ｂで防水性シート２を支持して幌タイプとする。この場合、防水性シート２は各梁部７ｂに止めておく。
【００２４】
さらに、支持フレーム７は前後間でその支柱部７ａの相互をリンクアーム９ａ、９ｂ同士の結合によるリンク機構９で連結して全体を前後方向に折り畳みできる構造とする。
【００２５】
前記リンクアーム９ａ、９ｂの軸着部１０または該軸着部１０から先に伸びるアーム延設部１１の先端を該リンク機構９の折り畳みに応じて支持フレーム７よりも上方に突設可能とした。アーム延設部１１はリンクアーム９ａ、９ｂのうちリンクアーム９ａの延長としたものでもよいが、本実施形態ではリンクアーム９ｂの延長とした。このようにすることで、アーム延設部１１は折り畳む際に支持フレーム７が移動する方向と逆の方向に向けて軸着部１０から先に突設するようになり、リンク機構９の折り畳みに応じてアーム延設部１１は支持フレーム７が移動する方向と同方向、すなわち、折り畳み方向に回転する。
【００２６】
また、コンテナ１の幅方向で、この突設させたリンクアーム９ａ、９ｂの軸着部１０または軸着部１０から先のアーム延設部１１の上端間に連結部材１２を渡した。この連結部材１２は図示のように平板のバー状のものの他、パイプ等の円管状のものでもよく、いずれの場合も端部を軸着して回動可能な回転体とする。
【００２７】
並列する支持フレーム７の一番端（折り畳み方向の一番手前側）のものは、折り畳みおよび広げの駆動部として押角１３と一体に形成し、この押角１３に牽引用の無端ワイヤー１４の途中を結合する。図７、図８に示すように、無端ワイヤー１４は駆動ローラ１５およびガイドローラ１６に巻回して張設した。さらに詳しく述べると、無端ワイヤー１４は駆動ローラ１５から出てコンテナ１の一方の側方を前側から後ろ側ヘ行き、上下に並ぶように折返して来て、前記駆動ローラ１５の上を通過してコンテナ１の他方の側方へと伸び、さらに、コンテナ１の他方の側方を前側から後ろ側ヘ行き、上下に並ぶように折返して来て、駆動ローラ１５と至る。
【００２８】
なお、前記押角１３と牽引用の無端ワイヤー１４との結合は、前記のコンテナ１の側方を前側から後ろ側ヘ行き、上下に並ぶように折返して来る無端ワイヤー１４の下側で行うものとし、コンテナ１の左右において共に下側に結合させる。
【００２９】
次に、使用法について説明する。駆動ローラ１５を手回し、または、油圧もしくは電動モータ１７で駆動すれば、無端ワイヤー１４が牽引され、それに伴い押角１３も移動する。
【００３０】
コンテナ１の屋根が閉じている状態では、図３に示すように、リンク機構９は広がり、支持フレーム７は相互に間隔を開けており、アーム延設部１１の先端も支持フレーム７より低く（同じ高さでもよい）、連結部材１２は防水性シート２を押し上げてはいない。この状態では防水性シート２は張られている。
【００３１】
屋根を開くには、押角１３を後方から前方に移動すると、その前に並ぶ支持フレーム７を押していくことになり、リンク機構９が閉じられる。それと同時にアーム延設部１１が回転して立ち上がり、連結部材１２が防水性シート２を山形に押し上げ、支持フレーム７相互が近接することで、防水性シート２は図９に示すように、支持フレーム７より下方に垂れ下がることなく、山折りに折り畳まれる。
【００３２】
一方、折り畳んだ防水性シート２を広げて屋根を閉じるには、逆の動作として駆動ローラ１５を逆転させ、無端ワイヤー１４を逆方向に牽引して押角１３を元の位置に戻すようにすればよい。
【００３３】
なお、前記実施形態はコンテナ１の開閉屋根として説明したが、トラック荷台の開閉屋根についても、本発明は同様に適用できる。さらに、コンテナ、トラック荷台以外の上部開口部を有する輸送用または保存用の大型の収容容器についても同様に適用できる。
【００３４】
【発明の効果】
以上述べたように本発明のコンテナ等の開閉屋根は、コンテナやトラック荷台の上面開口部に防水性シートを張設するコンテナ等の開閉屋根において、防水性シートを自動的に折り畳みおよび広げることにより、屋根の自動開閉が可能であるとともに、折り畳みの際にシートを下方に垂れ下げることなく、効率的に畳み込むことができるものである。
【図面の簡単な説明】
【図１】本発明のコンテナ等の開閉屋根の１実施形態を示す一部省略した側面図である。
【図２】本発明のコンテナ等の開閉屋根の１実施形態を示す一部省略した平面図である。
【図３】図１のａ部詳細図である。
【図４】図１のａ部詳細平面図である。
【図５】図３のＣ線矢視図である。
【図６】図３のＤ線矢視図である。
【図７】図１のＢ線矢視図である。
【図８】図７のＥ線矢視図である。
【図９】屋根を開けた状態の側面図である。
【図１０】従来例を示す側面図である。
【符号の説明】
１…コンテナ                  １ａ…サイドトップレール
１ｂ…サイドボトムレール      １ｃ…コーナーポスト
１ｄ…サイドウォール
２…防水性シート              ３…鳩目穴
４…孔開き突片                ５…ロープ
６…開口面                    ７…支持フレーム
７ａ…支柱部                  ７ｂ…梁部
８…すべり部材                ９…リンク機構
９ａ、９ｂ…リンクアーム      １０…軸着部
１１…アーム延設部            １２…連結部材
１３…押角                    １４…無端ワイヤー
１５…駆動ローラ              １６…ガイドローラ
１７…モータ
【図１】
2004269005.tif 000003
【図２】
2004269005.tif 000004
【図３】
2004269005.tif 000005
【図４】
2004269005.tif 000006
【図５】
2004269005.tif 000007
【図６】
2004269005.tif 000008
【図７】
2004269005.tif 000009
【図８】
2004269005.tif 000010
【図９】
2004269005.tif 000011
【図１０】
2004269005.tif 000012